(57)【要約】【課題】二次電池モジュールのエネルギー密度を向上させる。【解決手段】電極端子を有する二次電池を複数有する二次電池モジュールであって、二次電池モジュールは、隣接する二次電池モジュールに電気的に接続するための第一モジュールバスバおよび第二モジュールバスバを有し第一モジュールバスバおよび第二モジュールバスバは、電極端子が形成された面と同一平面に形成され、第一モジュールバスバは、二次電池モジュールから突出しており、第二モジュールバスバは、二次電池モジュール内に形成されている二次電池モジュール。【選択図】図１
2018206495.tif 000002
【特許請求の範囲】
【請求項１】
電極端子を有する二次電池を複数有する二次電池モジュールであって、
前記二次電池モジュールは、隣接する二次電池モジュールに電気的に接続するための第一モジュールバスバおよび第二モジュールバスバを有し
前記第一モジュールバスバおよび第二モジュールバスバは、前記電極端子が形成された面と同一平面に形成され、
前記第一モジュールバスバは、前記二次電池モジュールから突出しており、
前記第二モジュールバスバは、前記二次電池モジュール内に形成されている二次電池モジュール。
【請求項２】
請求項１の二次電池モジュールにおいて、
前記複数の二次電池を固縛するエンドプレートを有し、
前記エンドプレートにエンドプレート開口部が形成され、
前記第一モジュールバスバは、前記エンドプレート開口部を貫通する二次電池モジュール。
【請求項３】
請求項２の二次電池モジュールにおいて、
前記複数の二次電池を固縛するエンドプレートを保持するサイドプレートと、
前記サイドプレートおよび前記複数の二次電池の間に形成された回路基板と、を有する二次電池モジュール。
【請求項４】
請求項３の二次電池モジュールにおいて、
前記回路基板に回路基板凹みが形成されている二次電池モジュール。
【請求項５】
請求項３の二次電池モジュールにおいて、
前記サイドプレートにサイドプレート開口部が形成されている二次電池モジュール。
【請求項６】
請求項１の二次電池モジュールにおいて、
前記複数の二次電池を電気的に接続する複数のセルバスバを有し、
前記第一モジュールバスバは、前記複数のセルバスバの間に形成されている二次電池モジュール。
【発明の詳細な説明】
【技術分野】
【０００１】
本発明は、二次電池モジュールに関する。
【背景技術】
【０００２】
二次電池モジュールに関する技術として、特許文献１には複数の組電池２００が積層された電池モジュールであって、積層方向に隣接する組電池２００は、一方の組電池の第１の接続端子２１ａと、他方の組電池の第２の接続端子２２ａが、互いに嵌合して直列接続し、一方の組電池の第１の接続端子２１ａは、他方の組電池のケース３０内に埋設している、旨が開示されている。また、特許文献２には、
隣接する単電池３同士は、一方の単電池３の凸状端子４と他方の単電池３の凹状端子５とを用いて接続される、組電池の両端の単電池３は、凸状端子４及び凹状端子５の一方のみを正極端子又は負極端子として有しており、他方の端子は外部端子となっている、旨が開示されている。
【先行技術文献】
【特許文献】
【０００３】
【特許文献１】ＷＯ１２／１０１７２８号公報
【特許文献２】特開２０１２−２５２９２４号公報
【発明の概要】
【発明が解決しようとする課題】
【０００４】
特許文献１では、一方の組電池の第１の接続端子２１ａと、他方の組電池の第２の接続端子２２ａが、互いに嵌合して直列接続し、一方の組電池の第１の接続端子２１ａは、他方の組電池のケース３０内に埋設しているため、第１の接続端子２１ａおよび第２の接続端子２２ａが形成されている部分は二次電池モジュールのエネルギー密度に寄与せず、二次電池モジュールのエネルギー密度の低下を招く可能性がある。また、特許文献２では、凸状端子４および凹状端子５が単電池３側面の中央部に形成されているため、凸状端子４を接続するための凹状端子５が二次電池モジュールのエネルギー密度に寄与せず、二次電池モジュールのエネルギー密度の低下を招く可能性がある。
【０００５】
本発明は、二次電池モジュールのエネルギー密度を向上させることを目的とする。
【課題を解決するための手段】
【０００６】
上記課題を解決するための本発明の特徴は、例えば以下の通りである。
【０００７】
電極端子を有する二次電池を複数有する二次電池モジュールであって、二次電池モジュールは、隣接する二次電池モジュールに電気的に接続するための第一モジュールバスバおよび第二モジュールバスバを有し第一モジュールバスバおよび第二モジュールバスバは、電極端子が形成された面と同一平面に形成され、第一モジュールバスバは、二次電池モジュールから突出しており、第二モジュールバスバは、二次電池モジュール内に形成されている二次電池モジュール。
【発明の効果】
【０００８】
本発明により、二次電池モジュールのエネルギー密度を向上できる。上記した以外の課題、構成及び効果は以下の実施形態の説明により明らかにされる。
【図面の簡単な説明】
【０００９】
【図１】本発明の一実施形態に係る二次電池モジュールである。
【図２】本発明の一実施形態に係る二次電池モジュールである。
【図３】本発明の一実施形態に係る二次電池モジュールである。
【図４】本発明の一実施形態に係る二次電池である。
【図５】本発明の一実施形態に係る二次電池である。
【図６】本発明の一実施形態に係る組電池である。
【図７】本発明の一実施形態に係る二次電池モジュールである。
【図８】本発明の一実施形態に係る二次電池モジュールである。
【図９】本発明の一実施形態に係る二次電池モジュールである。
【図１０】本発明の一実施形態に係る組電池である。
【発明を実施するための形態】
【００１０】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。また、本発明を説明するための全図において、同一の機能を有するものは、同一の符号を付け、その繰り返しの説明は省略する場合がある。
【実施例１】
【００１１】
図１、図２は、本発明の一実施形態に係る二次電池モジュールの模式図である。二次電池モジュール２０００は、複数の二次電池１０００、複数のセルバスバ５００、二つのエンドプレート２１００、二つのサイドプレート２２００、回路基板２３００、第一モジュールバスバ２４００、第二モジュールバスバ２４５０を有する。複数の二次電池１０００に対してエンドプレート２１００が配置されている方向をｘ軸方向、複数の二次電池１０００に対してサイドプレート２２００が配置されている方向をｙ軸方向、ｘｙ平面の垂線方向をｚ軸方向とする。
【００１２】
複数の二次電池１０００のｘ軸方向両側に配置されたエンドプレート２１００によって、複数の二次電池１０００は固縛されている。複数の二次電池１０００を確実に固縛できるように、ｙｚ平面においてエンドプレート２１００は二次電池１０００よりも大きく、二次電池１０００の全面にわたって形成することが望ましい。
【００１３】
エンドプレート２１００には、第一モジュールバスバ２４００が貫通できる空間が形成されている。本実施例では、エンドプレート２１００にエンドプレート開口部２１１０が形成されている。ｙｚ平面において、エンドプレート開口部２１１０は第一モジュールバスバ２４００より大きくなっており、エンドプレート開口部２１１０は、第一モジュールバスバ２４００がエンドプレート２１００を貫通できる程度の大きさになっている。エンドプレート２１００は、ステンレスなどの鋼材、鉄、アルミなどの材料で作製される。
【００１４】
複数の二次電池１０００のｙ軸方向両側に配置されたサイドプレート２２００によって、二つのエンドプレート２１００は保持される。例えば、サイドプレート２２００が二つのエンドプレート２１００にネジ止めされることで、二つのエンドプレート２１００はサイドプレート２２００に保持される。サイドプレート２２００とエンドプレート２１００とのネジ止めの方向がエンドプレート２１００による複数の二次電池１０００の固縛の方向と同じになっているため、二次電池モジュール２０００の剛性を高められる。また、サイドプレート２２００の厚さとエンドプレート２１００の厚さをほぼ同じにできるので、二次電池モジュール２０００の剛性を高められる。サイドプレート２２００は、ステンレスなどの鋼材、鉄、アルミなどの材料で作製される。
【００１５】
サイドプレート２２００には、サイドプレート固定部２２１０が設けられている。二次電池モジュール２０００を車体に用いる場合、サイドプレート固定部２２１０が車体にネジ止めされることで、二次電池モジュール２０００が車体に固定される。サイドプレート２２００のｙ軸方向には、サイドプレート開口部２２２０が設けられている。サイドプレート開口部２２２０により、回路基板２３００で飛び出ているチップが配置されている場合に、チップとサイドプレート２２００との干渉を防止できる。  
回路基板２３００は、ｙ軸方向においてサイドプレート２２００および二次電池１０００の間に形成されている。回路基板２３００には、コンバータ装置、インバータ装置、抵抗器などが配置される。ｙ軸方向において、回路基板２３００をサイドプレート２２００および二次電池１０００の間に形成することで、二次電池モジュール２０００をコンパクトにできる。
【００１６】
ｘ軸方向における回路基板２３００の両端部には、回路基板凹み２３１０が形成されている。回路基板凹み２３１０により、第一モジュールバスバ２４００と回路基板２３００との干渉を防止している。図２では、回路基板２３００の両端部に回路基板凹み２３１０が形成されているが、回路基板２３００の片端部のみに回路基板凹み２３１０が形成されていてもよい。
【００１７】
図３は、本発明の一実施形態に係る二次電池モジュールである。隣接する二次電池１０００を電気的に直列に接続するために、二次電池１０００のｙ軸方向側にはセルバスバ５００が形成されている。二次電池モジュール２０００のｘ軸方向両端には第一モジュールバスバ２４００および第二モジュールバスバ２４５０が形成されている。
【００１８】
第一モジュールバスバ２４００はｘ軸方向においてエンドプレート２１００より突出しており、第二モジュールバスバ２４５０はｘ軸方向においてエンドプレート２１００内に形成されている。隣接する二次電池モジュール２０００において、一方の第一モジュールバスバ２４００と他方の第二モジュールバスバ２４５０が接続されることにより、隣接する二次電池モジュール２０００は電気的に直列に接続される。セルバスバ５００、第一モジュールバスバ２４００、および第二モジュールバスバ２４５０が同一平面に形成されている。これにより、二次電池モジュール２０００内の無駄なスペースが削減され、二次電池モジュール２０００のエネルギー密度を向上できる。第一モジュールバスバ２４００および第二モジュールバスバ２４５０は銅、アルミなど、電気伝導率が比較的よい材料で作製される。
【００１９】
ｙ軸方向において、第一モジュールバスバ２４００はセルバスバ５００に比べて突出している。ｙ軸方向において、第一モジュールバスバ２４００はセルバスバ５００と同一平面に形成されていてもよい。その場合、第二モジュールバスバ２４５０をなくして、第一モジュールバスバ２４００をセルバスバ５００と接続して、隣接する二次電池モジュール２０００を電気的に直列に接続してもよい。この場合、ｘ軸方向端部に形成されたセルバスバ５００が第二モジュールバスバ２４５０となる。
【００２０】
二次電池１０００中の電極端子は二次電池１０００のｚ軸方向両端に形成されており、電極端子の形成箇所に合わせて、セルバスバ５００も二次電池１０００のｚ軸方向両端に形成されている。第一モジュールバスバ２４００は、ｚ軸におけるサイドプレート２２００およびエンドプレート２１００をネジ止めするネジの間、セルバスバ５００の間に形成されている。第二モジュールバスバ２４５０はｚ軸におけるセルバスバ５００の上部に形成されている。セルバスバ５００をｚ軸方向の一方方向に偏らせて配置させてもよい。ｚ軸方向において、セルバスバ５００の間に第一モジュールバスバ２４００を形成することにより、二次電池モジュール２０００の信頼性を向上できる。
【００２１】
セルバスバ５００は電極端子に電気的に接続されている。セルバスバ５００は複数の二次電池１０００を電気的に接続する。セルバスバ５００の材質は、アルミニウム、アルミニウム合金、銅、銅合金等から選択される。
【００２２】
図４、図５は、本発明の一実施形態に係る二次電池の模式図である。二次電池１０００は、正極１００、負極２００、正極端子１５０、負極端子２５０、セパレータ３００、外装体を有する。図４のように、正極１００、負極２００、セパレータ３００が積層されている方向がｘ軸方向、積層方向の垂面方向がｙｚ平面方向、となる。以下では、正極１００または負極２００を電極、正極合剤層１１０または負極合剤層２１０を電極合剤層、正極集電体１２０または負極集電体２２０を電極集電体、正極タブ１３０または負極タブ２３０を電極タブ、正極端子１５０または負極端子２５０を電極端子、と称する場合がある。
【００２３】
正極１００、セパレータ３００、負極２００が積層されて電極体４００が構成される。二次電池１０００は、複数の電極体４００が積層されて構成される。正極タブ１３０同士および負極タブ２３０が接続されることで、二次電池１０００中で電気的な並列接続が構成される。図４の二次電池１０００は積層型の二次電池であるが、捲回円筒型の二次電池、捲回角型の二次電池を適用してもよい。
【００２４】
＜正極１００＞
正極１００は、正極合剤層１１０、正極集電体１２０、および正極タブ１３０を有する。正極集電体１２０の両面に正極合剤層１１０が形成されている。
【００２５】
＜正極合剤層１１０＞
正極合剤層１１０には、少なくともＬｉの吸蔵・放出が可能な正極活物質が含まれている。正極活物質としては、ＬｉＣｏ系酸化物、ＬｉＮｉ系複合酸化物、ＬｉＭｎ系複合酸化物な、Ｌｉ−Ｃｏ−Ｎｉ−Ｍｎ複合酸化物、ＬｉＦｅＰ系酸化物などが上げられる。正極合剤層１１０中に、正極合剤層１１０内の電子伝導性を担う導電材や、正極合剤層１１０内の材料間の密着性を確保するバインダ、さらには正極合剤層１１０内のイオン伝導性を確保するための固体電解質を含めてもよい。
【００２６】
正極合剤層１１０を作製する方法として、正極合剤層１１０に含まれる材料を溶媒に溶かしてスラリー化し、それを正極集電体１２０上に塗工する。塗工方法に特段の限定はなく、例えば、ドクターブレード法、ディッピング法、スプレー法などの従前の方法を利用できる。その後、溶媒を除去するための乾燥、正極合剤層１１０内の電子伝導性、イオン伝導性を確保するためのプレス工程を経て、正極合剤層１１０が形成される。
【００２７】
＜正極集電体１２０、正極タブ１３０＞
正極集電体１２０は正極タブ１３０と電気的に接続されている。正極タブ１３０は電極体４００の外部に導出されている。図４において、正極タブ１３０には正極合剤層１１０が形成されていない。ただし、電池性能に悪影響を与えない範囲で正極タブ１３０に正極合剤層１１０を形成してもよい。
【００２８】
正極集電体１２０および正極タブ１３０には、アルミニウム箔や孔径０．１〜１０ｍｍのアルミニウム製穿孔箔、エキスパンドメタル、発泡アルミニウム板などが用いられる。材質は、アルミニウムの他に、ステンレス、チタンなども適用できる。正極集電体１２０および正極タブ１３０の厚さは、好ましくは１０ｎｍ〜１ｍｍである。二次電池１０００のエネルギー密度と電極の機械強度両立の観点から１〜１００μｍ程度が望ましい。
【００２９】
＜負極２００＞
負極２００、負極合剤層２１０、負極集電体２２０、および負極タブ２３０を有する。負極集電体２２０の両面に負極合剤層２１０が形成されている。
【００３０】
＜負極合剤層２１０＞
負極合剤層２１０には、少なくともＬｉの吸蔵・放出が可能な正極活物質が含まれている。負極活物質としては、天然黒鉛、ソフトカーボン、非晶質炭素などの炭素系材料、Ｓｉ金属やＳｉ合金、チタン酸リチウム、リチウム金属などが上げられる。負極合剤層２１０中に、負極合剤層２１０内の電子伝導性を担う導電材や、負極合剤層２１０内の材料間の密着性を確保するバインダ、さらには負極合剤層２１０内のイオン伝導性を確保するための固体電解質を含めてもよい。
【００３１】
負極合剤層２１０を作製する方法として、負極合剤層２１０に含まれる材料を溶媒に溶かしてスラリー化し、それを負極集電体２２０上に塗工する。塗工方法に特段の限定はなく、例えば、ドクターブレード法、ディッピング法、スプレー法などの従前の方法を利用できる。その後、溶媒を除去するための乾燥、負極合剤層２１０内の電子伝導性、イオン伝導性を確保するためのプレス工程を経て、負極合剤層２１０が形成される。
【００３２】
＜負極集電体２２０、負極タブ２３０＞
負極集電体２２０および負極タブ２３０の構成は、概ね正極集電体１２０および正極タブ１３０の構成と同様である。
【００３３】
負極集電体２２０および負極タブ２３０には、銅箔や孔径０．１〜１０ｍｍの銅製穿孔箔、エキスパンドメタル、発泡銅板などが用いられ、材質は、銅の他に、ステンレス、チタン、ニッケルなども適用できる。負極集電体２２０および負極タブ２３０の厚さは、好ましくは１０ｎｍ〜１ｍｍである。二次電池１０００のエネルギー密度と電極の機械強度両立の観点から１〜１００μｍ程度が望ましい。
【００３４】
＜セパレータ３００＞
セパレータ３００は、正極１００と負極２００との間に形成され、二次電池１０００がリチウムイオン二次電池の場合リチウムイオンを透過させ、正極１００と負極２００の短絡を防止する。セパレータ３００を構成する材料として、微多孔膜や固体電解質等を利用できる。
【００３５】
微多孔膜として、ポリエチレンやポリプロピレンといったポリオレフィンやガラス繊維などを利用できる。セパレータ３００に微多孔膜が用いられる場合、複数の電極体４００を収納する外装体の空いている１辺や注液孔から二次電池１０００に電解液を注入することで、二次電池１０００中に電解液が充填される。
【００３６】
電解液は、例えば溶媒及びリチウム塩を有し、正極１００と負極２００の間でリチウムイオンの伝達させる媒体となる。溶媒として、エチレンカーボネート（ＥＣ）、ジメチルカーボネート（ＤＭＣ）、ジエチルカーボネート（ＤＥＣ）、プロピレンカーボネート、ブチレンカーボネート、γ−ブチロラクトン、リン酸トリエステル、トリメトキシメタン、ジオキソラン、ジエチルエーテル、スルホラン等を用いることができる。こられの材料を単独または複数組み合わせて使用してもよい。リチウム塩としては、例えば、ＬｉＰＦ６、ＬｉＢＦ４、ＬｉＣｌＯ４、ＬｉＣＦ３ＳＯ３、ＬｉＣＦ３ＣＯ２、ＬｉＡｓＦ６、ＬｉＳｂＦ６、リチウムビスオキサレートボラート（ＬｉＢＯＢ）、リチウムイミド塩（例えば、リチウムビス（フルオロスルホニル）イミド、ＬｉＦＳＩ）等を好ましく用いることができる。これらのリチウム塩を単独または複数組み合わせて使用してもよい。
【００３７】
固体電解質として、Ｌｉ１０Ｇｅ２ＰＳ１２、Ｌｉ２Ｓ−Ｐ２Ｓ５などの硫化物系、Ｌｉ−Ｌａ−Ｚｒ−Ｏなどの酸化物系、イオン液体や常温溶融塩などを有機高分子や無機粒子などに担持させた半固体電解質、高分子ゲルを電解質としたゲル電解質等を利用できる。セパレータ３００として固体電解質を用いた場合、固体電解質が正極１００と負極２００の間にリチウムイオンの伝達させる媒体となり、上記の電解液は基本不要となるため、二次電池１０００中で電気的な直列接続を構成できる。ただし、二次電池１０００中での電気的な短絡を防止できるのであれば、セパレータ３００として固体電解質を用いた場合でも二次電池１０００中に電解液を添加してもよい。
【００３８】
セパレータ３００は、シートとして正極１００と負極２００との間に形成してもよいし、電極合剤層の上に塗布により形成してもよい。電極合剤層の両面にセパレータ３００を形成してもよく、正極１００と負極２００との間にセパレータ３００が形成されれば、電極合剤層の片面にセパレータ３００が形成されていてもよい。セパレータ３００の厚さは二次電池１０００のエネルギー密度、電子絶縁性の確保等の観点から数ｎｍ〜数ｍｍのサイズとなる。
【００３９】
＜電極端子＞
正極端子１５０および負極端子２５０は電極タブと電気的に接続される。正極端子１５０および負極端子２５０の材質として、アルミニウム、銅、ニッケル、ステンレスなどの金属を用いることができる。
【００４０】
＜外装体７００＞
外装体７００は、電極、セパレータ３００、電極端子を収納する。電極端子をセルバスバ５００に電気的に接続させるために、外装体の電極端子が形成されている面では、電極端子を露出させるように外装体７００に開口部が形成されている。外装体７００の材質はアルミニウム、ステンレス鋼、ニッケルメッキ鋼製など、電解質に対し耐食性のある材料から選択される。
【００４１】
図６は、本発明の一実施形態に係る組電池である。組電池３０００は、複数の二次電池モジュール２０００を有し、隣接する二次電池モジュール２０００は一方の二次電池モジュール２０００中の第一モジュールバスバ２４００および他方の二次電池モジュール２０００中の第二モジュールバスバ２４５０によって、電気的に直列に接続されている。
【実施例２】
【００４２】
図７は、本発明の一実施形態に係る二次電池モジュールである。本実施例では、二次電池１０００がバイポーラ型の二次電池となっている。バイポーラ型の二次電池とは、二次電池１０００内で電気的な直列接続が構成されている二次電池をいう。
【００４３】
第一モジュールバスバ２４００および第二モジュールバスバ２４５０は、二次電池モジュール２０００内の複数の二次電池１０００と接続されている。換言すれば、複数の二次電池１０００の一方の電極端子が第一モジュールバスバ２４００に接続されており、他方の電極端子が第二モジュールバスバ２４５０に接続されている。これにより、複数の二次電池１０００は電気的に並列に接続される。本実施例では、セルバスバ５００を不要にできるので、二次電池モジュール２０００をコンパクトにでき、二次電池モジュール２０００のエネルギー密度を向上できる。
【実施例３】
【００４４】
図８、図９は、本発明の一実施形態に係る二次電池モジュールの模式図である。本実施例では、ｙ軸方向に設けた凹みをエンドプレート開口部２１１０とし、エンドプレート２１００のｙ軸方向に第一モジュールバスバ２４００が貫通できる程度の空間を形成している。サイドプレート２２００のｙ軸方向端部では段差が形成されており、サイドプレート２２００の段差に合わせてサイドプレート２２００のｘ軸方向端部にも段差が形成されている。サイドプレート２２００の段差部およびサイドプレート２２００の段差部でｙ軸方向にネジ止めされている。y軸方向において、サイドプレート２２００と二次電池１０００との間に形成されている空間にセルバスバ５００が配置される。
【００４５】
本実施例では、サイドプレート２２００とエンドプレート２１００とのネジ止めの方向がエンドプレート２１００による複数の二次電池１０００の固縛の方向と垂直になっているため、エンドプレート２１００を細くすることができ、二次電池モジュール２０００のエネルギー密度を向上できる。ｚ軸方向において、サイドプレート２２００が上下二つ形成されており、二つのサイドプレート２２００に回路基板を配置できる。
【００４６】
図１０は、本発明の一実施形態に係る組電池である。組電池３０００は、一対のサイドプレート２２００を有している。二次電池モジュール２０００単位ではエンドプレート２１００が形成されておらず、エンドプレート２１００は組電池３０００の両端にだけ形成されている。これにより、組電池３０００をコンパクトかつ軽量にできる。
【００４７】
二次電池モジュール２０００単位ではサイドプレート２２００が形成されておらず、ｚ軸方向において、二枚のサイドプレート２２００が上下に配置されている。これにより、組電池３０００を軽量にできる。サイドプレート２２００を二次電池モジュール２０００単位で形成してもよい。
【符号の説明】
【００４８】
１００  正極
１１０  正極合剤層
１２０  正極集電体
１３０  正極タブ
１５０  正極端子
２００  負極
２１０  負極合剤層
２２０  負極集電体
２３０  負極タブ
２５０  負極端子
３００  セパレータ
４００  電極体
５００  セルバスバ
７００  外装体
１０００  二次電池
２０００  二次電池モジュール
２１００  エンドプレート
２１１０  エンドプレート開口部
２２００  サイドプレート
２２１０  サイドプレート固定部
２２２０  サイドプレート開口部
２３００  回路基板
２３１０  回路基板凹み
２４００  第一モジュールバスバ
２４５０  第二モジュールバスバ
３０００  組電池
【図１】
2018206495.tif 000003
【図２】
2018206495.tif 000004
【図３】
2018206495.tif 000005
【図４】
2018206495.tif 000006
【図５】
2018206495.tif 000007
【図６】
2018206495.tif 000008
【図７】
2018206495.tif 000009
【図８】
2018206495.tif 000010
【図９】
2018206495.tif 000011
【図１０】
2018206495.tif 000012